(57)【特許請求の範囲】
【請求項１】
棒状の手摺の端部を覆い隠す形で収容する収容部を有する手摺ブラケットを用いて建材部に前記手摺を取り付ける際に使用する手摺取付用施工治具であって、
前記手摺ブラケットに、着脱自在に取付けられるブラケット取付部と、
前記ブラケット取付部によって前記手摺ブラケットに取付けられた状態で、前記収容部に前記手摺の端部を収容した際に前記手摺の端部の端面が位置する手摺端面配設位置と対応する位置に、メジャーの端部に設けられた係止片を引っ掛け得る引掛部とを備え、
前記手摺ブラケットは、前記手摺を保持する手摺保持部と、前記手摺保持部の外周面から前記収容部に貫通するように開けられ前記収容した手摺の端部を固定的に保持するための固定具が挿入される固定具挿入用孔とを備え、
前記ブラケット取付部は、前記固定具挿入用孔に嵌挿される嵌挿片を備えていることを特徴とする手摺取付用施工治具。
【請求項２】
前記収容部は、前記手摺保持部の端部に凹設されているとともに、その内部に、前記手摺の端部の端面と当接する端面当接部を備え、
前記手摺端面配設位置は、前記端面当接部の位置とされ、
前記引掛部は、前記ブラケット取付部によって前記手摺ブラケットに取付けられた状態で、前記端面当接部に対応した位置に配設されるものであることを特徴とする請求項１記載の手摺取付用施工治具。
【請求項３】
前記ブラケット取付部によって前記手摺ブラケットに取付けられた状態で、前記手摺ブラケットに対する回動を規制する回動規制部を、さらに備えていることを特徴とする請求項１又は２に記載の手摺取付用施工治具。
【請求項４】
前記回動規制部は、前記嵌挿片が前記固定具挿入用孔に嵌挿されることによって前記手摺取付用施工治具が前記手摺保持部に取り付けられるに際して前記手摺保持部の先端面に当接する当止部を備えていることを特徴とする請求項３に記載の手摺取付用施工治具。
【請求項５】
請求項１〜４の何れか一項に記載の手摺取付用施工治具と、棒状の手摺の端部を覆い隠す形で収容する収容部を有する手摺ブラケットとを備えていることを特徴とする手摺取付装置。
【請求項６】
前記固定具挿入用孔は、前記手摺保持部にその周方向に沿って複数、配設されていることを特徴とする請求項５記載の手摺取付装置。
【発明の詳細な説明】
【技術分野】
【０００１】
本発明は、棒状の手摺の端部を収容する収容部を有する手摺ブラケットを用いて手摺を建材部に取り付ける際に使用する手摺取付用施工治具及び手摺取付装置に関するものである。
【背景技術】
【０００２】
従来、棒状の手摺を建材部に取り付けるための手摺取付装置として、例えば特許文献１に開示されたものがある。このものは、手摺ブラケットを備え、又、手摺ブラケットは、ブラケット本体と手摺の端部を収容する収容部（嵌合部）を有する手摺保持部とを備えたものである。
【０００３】
このような手摺ブラケットを用いて手摺を、建材部としての壁面１００（図１１参照）に装着する場合は、次のようにして行う。まず、図１３に示すように手摺ブラケット１０１〜１０３を、壁面１００における所定距離だけ離れた少なくとも２箇所に仮取り付けする（この図１３では、３箇所に仮取り付けした場合を図示）。そして、それらの隣接する手摺ブラケット１０１〜１０３同士における収容部１０４に手摺１１０の端部１１１を収容した際にその手摺１１０の端部１１１の端面１１１ａが配設されることになる手摺端面配設位置同士の距離Ｌ１０、Ｌ１１をメジャーで測定する。次いで、その測定値に基いて、手摺１１０をカットし２つの手摺ブラケットに適合した長さになるようにしておく。その後、手摺ブラケット１０１〜１０３を一旦、壁面１００から外す。そして、壁面１００の化粧を終える等した後、手摺ブラケット１０１〜１０３夫々の収容部１０４に手摺１１０の端部１１１を収容し固定ボルト等の固定具によって固定的に保持させるようにして、壁面１００に手摺ブラケット１０１〜１０３夫々を取り付ける。
【先行技術文献】
【特許文献】
【０００４】
【特許文献１】特開２００５−２２０５５９号公報
【発明の概要】
【発明が解決しようとする課題】
【０００５】
しかしながら、手摺端面配設位置が収容部１０４の内部にある。そのため、隣接する手摺ブラケット１０１〜１０３に収容した際の手摺端面配設位置同士の距離Ｌ１０、Ｌ１１をメジャーで測定する場合、手摺端面配設位置にメジャーの端部を宛がい難く、メジャーでの測定が容易でない。又、一方の手摺ブラケットにおける手摺端面配設位置にメジャーの端部を宛がって他方の手摺ブラケットにおける手摺端面配設位置までの距離を測定しなければならず、１人の作業者が行うのは難しく、そのため、現状では、２人以上の作業者で行われている。
【０００６】
本発明は、収容部に手摺の端部を収容した際のその手摺の端面の配設位置に基いて距離を測定する場合に容易に且つ正確に測定できるようにする手摺取付用施工治具及び手摺取付装置の提供を目的とする。
【課題を解決するための手段】
【０００７】
上記課題を解決するため、本発明は、棒状の手摺の端部を覆い隠す形で収容する収容部を有する手摺ブラケットを用いて建材部に前記手摺を取り付ける際に使用する手摺取付用施工治具であって、前記手摺ブラケットに、着脱自在に取付けられるブラケット取付部と、前記ブラケット取付部によって前記手摺ブラケットに取付けられた状態で、前記収容部に前記手摺の端部を収容した際に前記手摺の端部の端面が位置する手摺端面配設位置と対応する位置に、メジャーの端部に設けられた係止片を引っ掛け得る引掛部とを備え、前記手摺ブラケットは、前記手摺を保持する手摺保持部と、前記手摺保持部の外周面から前記収容部に貫通するように開けられ前記収容した手摺の端部を固定的に保持するための固定具が挿入される固定具挿入用孔とを備え、前記ブラケット取付部は、前記固定具挿入用孔に嵌挿される嵌挿片を備えていることを特徴とする手摺取付用施工治具を提供する。
【０００８】
前記収容部は、前記手摺保持部の端部に凹設されているとともに、その内部に、前記手摺の端部の端面と当接する端面当接部を備え、前記手摺端面配設位置は、前記端面当接部の位置とされ、前記引掛部は、前記ブラケット取付部によって前記手摺ブラケットに取付けられた状態で、前記端面当接部に対応した位置に配設される構成にできる。
【００１０】
前記ブラケット取付部によって前記手摺ブラケットに取付けられた状態で、前記手摺ブラケットに対する回動を規制する回動規制部を、さらに備えている構成にできる。
又、前記回動規制部は、前記嵌挿片が前記固定具挿入用孔に嵌挿されることによって前記手摺取付用施工治具が前記手摺保持部に取り付けられるに際して前記手摺保持部の先端面に当接する当止部を備えている構成にできる。
【００１１】
又、本発明は、上述の何れかの手摺取付用施工治具と、棒状の手摺の端部を覆い隠す形で収容する収容部を有する手摺ブラケットとを備えていることを特徴とする手摺取付装置を提供する。
【００１２】
前記固定具挿入用孔は、前記手摺保持部にその周方向に沿って複数、配設されている構成にできる。
【発明の効果】
【００１３】
本発明によれば、例えば使用する２つの手摺ブラケット夫々に、予め本発明の手摺取付用施工治具をブラケット取付部によって取り付けておく。その際、引掛部が手摺の端部を収容部に収容した際に手摺の端部の端面が位置する手摺端面配設位置と対応する位置に配設されているため、それらの２つの手摺取付用施工治具の引掛部同士の距離が２つの手摺ブラケットの手摺端面配設位置同士の距離と同じになっている。
【００１４】
従って、２つの手摺ブラケットに取付けた何れか一方の手摺取付用施工治具の引掛部にメジャーの係止片を引っ掛け、他方の手摺取付用施工治具の引掛部までの距離を測定すれば、２つの手摺取付用施工治具の引掛部同士の距離を測定でき、測定作業を容易に行うことができる。
【００１５】
又、メジャーの係止片を引掛部に引っ掛けることができ、１人の作業で測定することも可能になる。従って、手摺を壁面に取り付ける作業を１人で行い得るものにできる。
【００１６】
又、施工の際に、ブラケット取付部によって手摺ブラケットに着脱自在に取付けることができるため、手摺ブラケットに引掛部等を設けなくてもよいものにできる。従って、既存の手摺ブラケットに取付けて引掛部を形成でき、手摺を、それらの手摺ブラケットの位置に適合した長さに容易に且つ正確に調整できる。
【図面の簡単な説明】
【００１７】
【図１】（ａ）は、本発明の第１実施形態の手摺取付装置の手摺ブラケットの正面図、（ｂ）は、（ａ）の手摺ブラケットの右側面図、（ｃ）は、（ａ）の手摺ブラケットの背面図、（ｄ）は、（ａ）の手摺ブラケットの平面図である。
【図２】図１の第１実施形態における手摺ブラケットの分解斜視図である。
【図３】（ａ）は、第１実施形態における手摺ブラケットの第１手摺保持部（第２手摺保持部）の正面図、（ｂ）は、（ａ）の第１手摺保持部（第２手摺保持部）の右側面図、（ｃ）は、（ａ）の第１手摺保持部（第２手摺保持部）の背面図、（ｄ）は、（ａ）の第１手摺保持部（第２手摺保持部）の平面図、（ｅ）は、（ａ）のＩＩＩ−ＩＩＩ線断面図である。
【図４】本発明の第１実施形態の手摺取付装置の手摺取付用施工治具の斜視図である。
【図５】（ａ）は、第１実施形態における手摺取付用施工治具の正面図、（ｂ）は、（ａ）の手摺取付用施工治具の左側面図、（ｃ）は、（ａ）の手摺取付用施工治具の背面図、（ｄ）は、（ａ）の手摺取付用施工治具の平面図、（ｅ）は、（ａ）の手摺取付用施工治具の底面図である。
【図６】手摺取付用施工治具を第１手摺保持部（第２手摺保持部）に取り付ける際の断面図である。
【図７】手摺取付用施工治具を第１手摺保持部（第２手摺保持部）に取り付けた状態の断面図である。
【図８】（ａ）は、本発明の第２実施形態の手摺取付装置の手摺ブラケットの正面図、（ｂ）は、（ａ）の手摺ブラケットの右側面図、（ｃ）は、（ａ）の手摺ブラケットの左側面図、（ｄ）は、（ａ）の手摺ブラケットの背面図、（ｅ）は、（ａ）の手摺ブラケットの平面図である。
【図９】（ａ）は、本発明の第３実施形態の手摺取付装置の手摺ブラケットの正面図、（ｂ）は、（ａ）の手摺ブラケットの右側面図、（ｃ）は、（ａ）の手摺ブラケットの左側面図、（ｄ）は、（ａ）の手摺ブラケットの平面図、（ｅ）は、（ａ）の手摺ブラケットの底面図である。
【図１０】第１実施形態の手摺ブラケットの端面当接部同士間の距離を測定する際の説明図に係り、（ａ）は、その正面図、（ｂ）は、その要部の平面図である。
【図１１】本発明の第１実施形態〜第３実施形態の手摺取付装置夫々の手摺ブラケットを、手摺と共に壁面に取り付けた状態の説明図である。
【図１２】第１実施形態の手摺ブラケットと第２実施形態の手摺ブラケットとの端面当接部同士間の距離、及び第２実施形態の手摺ブラケットと第３実施形態の手摺ブラケットとの端面当接部同士間の距離を測定する際の説明図である。
【図１３】従来例の説明図である。
【発明を実施するための形態】
【００１８】
以下、本発明を実施するための形態について、図面を参照しながら詳細に説明する。図１、図２は、本発明の第１実施形態の手摺取付装置の手摺ブラケットの説明図、図３は、図１の手摺ブラケットの第１手摺保持部（第２手摺保持部）の説明図である。又、図４、図５は、本発明の第１実施形態の手摺取付装置の手摺取付用施工治具の説明図である。
【００１９】
第１実施形態の手摺取付装置は、図１及び図２に示す手摺ブラケット１と、図４及び図５に示す手摺取付用施工治具６とを備えている。
【００２０】
この手摺ブラケット１は、棒状の手摺１１０（図１１に図示）を、建材部としての壁面１００に取り付けるためのものである。この第１実施形態の手摺ブラケット１は、壁面１００（図１１に図示）における所定角度（この実施形態では、略９０°）をなした入墨部に用いる入墨コーナー用のものである。
【００２１】
この手摺ブラケット１は、図１、図２に示すようにブラケット本体２と、手摺１１０の端部１１１を収容する収容部３１を有する一対の手摺保持部３ａ、３ｂとを備えている。
【００２２】
上記ブラケット本体２は、ベース部４と、ベース部４の上方側に配設された支持部５とを備えている。
【００２３】
ベース部４は、前面に開口４１ａを有する筒状部４１と、筒状部４１に着脱自在に取り付けられて開口４１ａを覆ったカバー４２とを備えている。筒状部４１は、後面側に、壁面１００の入墨部に固定される壁面固定部４３を備えている。
【００２４】
この壁面固定部４３は、開口４１ａから、図示しない取付用ボルト等を介して壁面１００に固定されるようになっている。
【００２５】
支持部５は、円筒状のものから構成され、その軸方向が湾曲状に形成されている。又、その軸方向の両端夫々に、手摺保持部３ａ、３ｂと連結された円弧面５１ａを有する第１連結部５１が設けられている。
【００２６】
この実施形態では、支持部５は、図２に示すように下連結片５２と、上連結片５３とから構成されている。下連結片５２は、ベース部４と一体に形成されている。上連結片５３は、下連結片５２に上方側から合わされ、その状態で、上連結片５３に設けられたボルト挿通孔（図示せず）にベース部４から通された係止ボルト５４を介して係止されるようになっている。
【００２７】
手摺保持部は、上記支持部５の第１連結部５１夫々と連結された同一構成を採る第１手摺保持部３ａと第２手摺保持部３ｂとの２つから構成されている。以下、第１手摺保持部３ａについて説明し、第２手摺保持部３ｂの説明を省略する。
【００２８】
第１手摺保持部３ａは、図３に示すように先端側に、手摺１１０の端部１１１（図３（ｅ）中に２点鎖線で示す）を全周に渡って覆い隠すようにして収容する収容部３１と、固定具挿入用孔３２とを備えている。
【００２９】
この収容部３１は、第１手摺保持部３ａの先端面３０から所定の深さで、手摺１１０の端部１１１とほぼ同形状の円柱状に凹設されている。
【００３０】
又、この収容部３１の奥部には、手摺１１０の端部１１１の端面１１１ａが当接して端面１１１ａが配設される手摺端面配設位置となる端面当接部３１ａが設けられている。
【００３１】
固定具挿入用孔３２は、収容部３１に収容した手摺１１０の端部１１１を固定するための固定具が挿入される。この実施形態では、固定具挿入用孔３２は、第１手摺保持部３ａの周方向に１８０°隔てた上部と下部との２箇所に設けられた同一構成を採る２つから構成されている。各固定具挿入用孔３２は、第１手摺保持部３ａの外周面から収容部３１に貫通するように形成されている。
【００３２】
又、この実施形態では、各固定具挿入用孔３２は、外周面から収容部３１側に行くに従い漸次径小になるテーパー状のものとされている。尚、固定具挿入用孔３２に通す固定具は、図示しないが、この実施形態では、固定ボルトから構成されている。
【００３３】
又、第１手摺保持部３ａは、基端側に、支持部５の第１連結部５１と連結軸３６ａ（図２に図示）を介して連結された第２連結部３６を備えている。この第２連結部３６は、第１連結部５１の円弧面５１ａを摺動する円弧面３６ｂと、円弧面３６ｂに形成され連結軸３６ａを移動可能に嵌挿した長孔３６ｃとを備えている。
【００３４】
そして、この第２連結部３６は、図２に示すように長孔３６ｃに嵌挿した連結軸３６ａが支持部５の第１連結部５１に設けられた嵌挿孔５１ｂに嵌挿されることにより支持部５の第１連結部５１と連結軸３６ａを介して連結される。
【００３５】
又、この状態で、長孔３６ｂ内を連結軸３６ａが相対移動するに際して、第１手摺保持部３ａの円弧面３６ｂが支持部５の円弧面５１ａを摺動する。そして、その摺動に際して第１手摺保持部３ａの先端側の収容部３１が、ブラケット本体２の支持部５に対して上下方向に回動可能（収容した手摺１１０の角度調整可能）とされている。
【００３６】
次に、手摺取付用施工治具６について、説明する。本発明の手摺取付用施工治具６は、図４、図５に示すように施工治具本体７と、施工治具本体７を手摺ブラケット１に着脱自在に取り付けるブラケット取付部としての嵌挿片８とを備えている。
【００３７】
施工治具本体７は、四角柱状の柱状部７１と、柱状部７１の長手方向の一端側に一体的に設けられた回動規制部７２と、柱状部７１の長手方向の他端側に一体的に設けられた引掛部７３とを備えている。
【００３８】
回動規制部７２は、嵌挿片８によって手摺ブラケット１に取り付けられた状態の施工治具本体７が手摺ブラケット１に対して回動するのを規制するものである。この実施形態の回動規制部７２は、柱状部７１から、図の下方側に突出するように形成されている。又、回動規制部７２は、施工治具本体７が手摺ブラケット１の手摺保持部３ａ、３ｂに取り付けられるに際して手摺保持部３ａ、３ｂの先端面３０（図１、図２参照）に当接する当止部７２ａを備えている。
【００３９】
引掛部７３は、メジャーＭの端部に設けられた係止片Ｍ１（図１０に図示）が引っ掛けられる部分で、この実施形態では、柱状部７１から、上記回動規制部７２とは反対側の図の上方側に突出されているとともに、当止部７２ａと平行に形成されている。又、この実施形態では、引掛部７３から当止部７２ａ間での距離は、手摺保持部３ａ、３ｂの先端面３０から端面当接部３１ａまでの距離と同じに設定されている。
【００４０】
尚、この実施形態では、施工治具本体７の長さが１９．５ｍｍ程度、引掛部７３の幅が１２ｍｍ程度、引掛部７３の高さが８ｍｍ程度に設定されている。
【００４１】
嵌挿片８は、円柱状の軸部８１と、軸部８１の先端に設けられた係止突片８２とを備えている。軸部８１は、その外径が上記手摺保持部３ａ、３ｂの固定具挿入用孔３２の内径と略同程に設定され、固定具挿入用孔３２に嵌挿されるようになっている。
【００４２】
係止突片８２は、軸部８１の外周方向に突設されており、固定具挿入用孔３２に通されて手摺保持部３ａ、３ｂの収容部３１の内周壁における固定具挿入用孔３２の周縁に係止できるようになっている。
【００４３】
このように構成された手摺取付用施工治具６は、例えば手摺ブラケット１の第１手摺保持部３ａに、次のようにして取付けられる。図６に示すように、手摺取付用施工治具６の回動規制部７２が第１手摺保持部３ａの先端側に位置するようにして、嵌挿片８を固定具挿入用孔３２に押し入れる。
【００４４】
これにより、嵌挿片８の係止突片８２が弾性変形するとともに、固定具挿入用孔３２が押し広げられて係止突片８２が第１手摺保持部３ａの収容部３１に入り込む。係止突片８２が収容部３１に入り込むと、図７に示すように係止突片８２及び固定具挿入用孔３２の周縁夫々が弾性力により復元し、係止突片８２は、第１手摺保持部３ａの収容部３１の内周壁における固定具挿入用孔３２の周縁に係止する。
【００４５】
又、この状態で、当止部７２ａが第１手摺保持部３ａの先端面３０に当接し、手摺取付用施工治具６の第１手摺保持部３ａに対する回動が規制される。
【００４６】
又、この状態で、引掛部７３は、第１手摺保持部３ａの軸方向（Ｘ−Ｘ方向）に対して垂直な垂直面となっているとともに、端面当接部３１ａに対応する位置に配置されている。即ち、引掛部７３と端面当接部３１ａとの両者の軸方向の位置が同じ位置（互いの軸方向の距離が０）とされている。
【００４７】
尚、引掛部７３と収容部３１の端面当接部３１ａとの軸方向の位置は、全く同じ位置のものに限らず、若干の違い（例えば互いの軸方向の距離が１ｍｍ以内）があるものでもよい。従って、手摺取付用施工治具６が温度による膨張や収縮に伴って寸法誤差を生じることを考慮し、引掛部７３と端面当接部３１ａとの軸方向の位置を予め若干異なるように設定しておいても良い。
【００４８】
手摺取付用施工治具６を、第２手摺保持部３ｂに取り付ける場合も、同様にして取り付けることができる。
【００４９】
以上のように構成されたこの実施形態の手摺ブラケット１の壁面１００への装着方法について説明する。
【００５０】
この実施形態の手摺ブラケット１は、例えば図１１に示すように手摺１１０を保持した状態で壁面１００における入墨部に取り付けられるが、その装着に際して、まず、図１０（ａ）に示すように手摺ブラケット１だけが壁面１００の入墨部に仮取り付けされる。
【００５１】
又、この手摺ブラケット１の入墨部への仮取り付けに際し、予め、図１０に示すように、２つの手摺ブラケット１の対向する第１手摺保持部３ａと第２手摺保持部３ｂとの夫々に、上述のようにして手摺取付用施工治具６を取り付けておく。
【００５２】
ただし、手摺取付用施工治具６は、手摺ブラケット１を壁面１００に取り付けた後に、手摺ブラケット１に取り付けることもでき、適宜変更できる。
【００５３】
そして、いずれか一方の手摺取付用施工治具６の引掛部７３に、メジャーＭの係止片Ｍ１を引っ掛け、他方の手摺取付用施工治具６の引掛部７３までの距離Ｌ１を測定する。尚、図１０では、第１手摺保持部３ａの引掛部７３にメジャーＭの係止片Ｍ１を引っ掛けた場合を示している。
【００５４】
その際、夫々の引掛部７３と収容部３１の端面当接部３１ａとの軸方向の位置が同位置（互いの軸方向の距離が０）に設定されているため、引掛部７３同士間の距離と端面当接部３１ａ同士間の距離が同じになる。従って、端面当接部３１ａ同士間の距離の測定を、引掛部７３同士間の距離を測定することにより行うことができ、容易に且つ正確に測定できる。
【００５５】
しかも、メジャーＭの係止片Ｍ１を引掛部７３に引っ掛けることができるため、１人で測定することもでき、より簡単に測定できる。
【００５６】
そして、測定した距離Ｌ１に基いて、手摺１１０の端部をカットとして手摺１１０を長さ調整する。その後、壁面１００から２つの手摺ブラケット１を一旦、取り外し、手摺ブラケット１夫々のブラケット本体２から第１及び第２手摺保持部３ａ、３ｂを外す。
【００５７】
又、第１及び第２手摺保持部３ａ、３ｂ夫々から手摺取付用施工治具６を外す。その際、手摺取付用施工治具６を第１及び第２手摺保持部３ａ、３ｂに取り付けた状態では、図７に示すように第１手摺保持部３ａ及び第２手摺保持部３ｂ夫々の収容部３１に手摺取付用施工治具６の嵌挿片８の係止突片８２及び回動規制部７２が突出している。従って、その状態で、手摺１１０の端部１１１を第１手摺保持部３ａ及び第２手摺保持部３ｂ夫々の収容部３１に入れようとしても手摺取付用施工治具６が邪魔になって収容できない。よって、第１及び第２手摺保持部３ａ、３ｂ夫々から手摺取付用施工治具６を外すように作業者に仕向けることができ、第１及び第２手摺保持部３ａ、３ｂに手摺取付用施工治具６を取り付けたまま放置されるようなことを防止できる。
【００５８】
尚、手摺取付用施工治具６を第１及び第２手摺保持部３ａ、３ｂ夫々から外す際は、当止部７２ａを第１及び第２手摺保持部３ａ、３ｂ夫々の外周側に押圧する。これにより、嵌挿片８の係止突片８２を固定具挿入用孔３２から抜くことができ、手摺取付用施工治具６を第１及び第２手摺保持部３ａ、３ｂ夫々から容易に外すことができる。
【００５９】
そして、第１及び第２手摺保持部３ａ、３ｂ夫々の収容部３１に、手摺１１０の端部１１１を収容する。その後、第１及び第２手摺保持部３ａ、３ｂ夫々の固定具挿入用孔３２に、図示しない固定具としての固定ボルトを挿入して第１及び第２手摺保持部３ａ、３ｂと手摺１１０の端部１１１との両者を固定的に連結する。
【００６０】
そして、壁面１００の化粧仕上げ等が終了した後、手摺ブラケット１夫々のブラケット本体２を壁面１００に取付けるとともに、手摺１１０と連結させた第１及び第２手摺保持部３ａ、３ｂを、ブラケット本体２にセットする。これにより、図１１に示すように手摺ブラケット１を用いて手摺１１０を壁面１００に装着できる。
【００６１】
次に、第２実施形態の手摺取付装置について説明する。第２実施形態の手摺取付装置は、先の第１実施形態のものと同様に、図８に示す手摺ブラケット２００と、手摺取付用施工治具６とを備えている。手摺取付用施工治具６は、図４、図５に示す第１実施形態のものと同構成を採っている。
【００６２】
第２実施形態の手摺ブラケット２００は、例えば図１１に示すように平面状の壁面１００で手摺１１０を角度調整可能に保持する平面コーナー用のものとされている。
【００６３】
この第２実施形態のものは、図８に示すように、先の第１実施形態のものと同様に、ブラケット本体２０２と、第１手摺保持部２０３ａ及び第２手摺保持部２０３ｂを有する手摺保持部とを備えている。又、ブラケット本体２０２は、ベース部２０４と、支持部２０５とを備えている。ベース部２０４は、先の第１実施形態のものと略同構成を採っている。
【００６４】
支持部２０５は、軸方向の一端側（図８（ａ）の右端側）に、先の第１実施形態のものと同構成を採る第１連結部２５１ａを備えているが、その他端側（図８（ａ）の左端側）は、後述するように第２手摺保持部２０３ｂと一体的に形成されている。
【００６５】
第１手摺保持部２０３ａは、先の第１実施形態のものと同構成を採っており、収容部２３１を備えているとともに、外周面から収容部２３１に貫通するように形成された固定具挿入用孔２３２を備えている。
【００６６】
第２手摺保持部２０３ｂは、支持部２０５と一体的に形成された円筒状のものから構成されており、円柱状の収容部２３１を備えている。又、収容部２３１は、板状体２３０ａによって支持部２０５と区画されており、この板状体２３０ａの側面が端面当接部２３１ａをなしている。
【００６７】
又、第２手摺保持部２０３ｂは、その外周面から収容部２３１に貫通した固定具挿入用孔２３２を２つ、備えている。尚、これらの固定具挿入用孔２３２も、互いに周方向に１８０°隔てた位置に配設されている（図８では、１つだけが表れている）。
【００６８】
尚、第１手摺保持部２０３ａと第２手摺保持部２０３ｂとの支持部２０５に対する位置は、上記のように第１手摺保持部２０３ａを支持部２０５の一端側に、第２手摺保持部２０３ｂを支持部２０５の他端側に配設する形態のものに限らず、適宜変更できる。例えば図１２に示すように第２手摺保持部２０３ｂを支持部２０５の一端側に、第１手摺保持部２０３ａを支持部２０５の他端側に、夫々配設してもよい。
【００６９】
このように構成された第２実施形態の手摺ブラケット２００は、例えば図１２に示すように先の第１実施形態の入墨コーナー用の手摺ブラケット１等と共に用いられる。そして、先の第１実施形態の手摺ブラケット１と同様に、手摺ブラケット１、２００が手摺１１０を保持していない状態で壁面１００に仮取り付けされる。
【００７０】
又、この仮取り付けに際し、予め、図１２に示すように、２つの手摺ブラケット１，２００の対向する第１手摺保持部３ａ、２０３ａの夫々に、先の第１実施形態の場合と同様に手摺取付用施工治具６を取り付けておく。
【００７１】
そして、図１２に示すように、２つの第１手摺保持部３ａ、２０３ａのいずれか一方の手摺取付用施工治具６の引掛部７３に、メジャーＭの係止片Ｍ１を引っ掛け、他方の手摺取付用施工治具６の引掛部７３までの距離Ｌ２を測定する。
【００７２】
この場合においても、夫々の引掛部７３と収容部３１、２３１の端面当接部３１ａ、２３１ａとの軸方向の位置がほぼ同位置（互いの軸方向の距離が０）に設定されているため、引掛部７３同士間の距離と端面当接部３１ａ、２３１ａ同士間の距離とが等しくなっている。従って、端面当接部３１ａ、２３１ａ同士間の距離の測定を、引掛部７３同士間の距離を測定することにより行うことができ、容易に且つ正確に測定できる。
【００７３】
しかも、メジャーＭの係止片Ｍ１を引掛部７３に引っ掛けることができるため、１人で測定することもでき、より簡単に測定できる。
【００７４】
そして、測定した距離Ｌ２に基いて、手摺１１０の端部をカットとして長さ調整する。
以降、先の第１実施形態で説明したと同様である。
【００７５】
尚、第２実施形態の手摺ブラケット２００の第２手摺保持部２０３ｂに取付けた手摺取付用施工治具６を用いて行う測定については、後述の第３実施形態の手摺ブラケット３００のところで説明する。
【００７６】
次に、第３実施形態の手摺ブラケット３００について説明する。第３実施形態の手摺ブラケット３００は、エンド用のものとされており、図９に示す手摺ブラケット３００と、手摺取付用施工治具６とを備えている。手摺取付用施工治具６は、図４、図５に示す第１実施形態のものと同構成を採っている。
【００７７】
手摺ブラケット３００は、図９に示すように、先の第１実施形態のものと同様に、ブラケット本体３０２と、手摺保持部３０３とを備えている。ブラケット本体３０２は、ベース部３０４と、ベース部３０４と一体に形成された支持部３０５とを備えている。
【００７８】
第３実施形態の手摺保持部３０３は、１つから構成されている。手摺保持部３０３は、先の第２実施形態の第２手摺保持部２０３ｂと略同構成のものからなる。
【００７９】
詳しくは、手摺保持部３０３は、先の第２実施形態の第２手摺保持部２０３ｂと同様に、端面当接部３３１ａを有する収容部３３１を備えているとともに、外周面から収容部３３１に貫通するように形成された固定具挿入用孔３３２を備えている。
【００８０】
このように構成された第３実施形態の手摺ブラケット３００は、例えば図１２に示すように先の第２実施形態の平面コーナー用の手摺ブラケット２００等と共に用いられる。そして、先の第１実施形態や第２実施形態の場合と同様に、図１２に示すように手摺１１０を保持していない状態で手摺ブラケット２００、３００だけが壁面１００（図１１参照）に仮取り付けされる。
【００８１】
又、この仮取り付けに際し、予め、図１２に示すように、２つの手摺ブラケット２００、３００の夫々に、先の第１実施形態の場合と同様に手摺取付用施工治具６を取り付けておく。
【００８２】
そして、図１２に示すように、いずれか一方の手摺取付用施工治具６の引掛部７３に、メジャーＭの係止片Ｍ１を引っ掛け、他方の手摺取付用施工治具６の引掛部７３までの距離Ｌ３を測定する。
【００８３】
この場合においても、夫々の引掛部７３と収容部２３１、３３１の端面当接部２３１ａ、３３１ａとの軸方向の位置が同位置に設定されているため、引掛部７３同士間の距離と端面当接部２３１ａ、３３１ａ同士間の距離とが等しくなっている。従って、端面当接部２３１ａ、３３１ａ同士間の距離の測定を、引掛部７３同士間の距離を測定することにより行うことができ、容易に且つ正確に測定できる。
【００８４】
しかも、メジャーＭの係止片Ｍ１を引掛部７３に引っ掛けることができるため、１人で測定することもでき、より簡単に測定できる。
【００８５】
そして、測定した距離Ｌ３に基いて、手摺１１０の端部をカットとして長さ調整する。以降、先の第１実施形態で説明したと同様である。
【００８６】
尚、上記実施形態では、手摺ブラケットを、階段の側壁に用いたが、この形態のものに限らず、スロープの側壁、平坦な床に付設される側壁等に用いることができ、適宜変更できる。
【００８７】
又、本発明に使用されるメジャーは、端部に係止片を有するものであれば特に限定されない。例えば、端部に係止片を有するスチール製又は布製の巻尺の他、端部に係止片を有するスチール製の長尺状又は折畳み式の物差し、木又は竹製の長尺状又は折畳み式の物差し、あるいは紐製の物差し等でもよい。
【００８８】
以上、本発明の手摺取付用施工治具は、棒状の手摺の端部を覆い隠す形で収容する収容部を有する手摺ブラケットを用いて建材部に前記手摺を取り付ける際に使用する手摺取付用施工治具であって、前記手摺ブラケットに、着脱自在に取付けられるブラケット取付部と、前記ブラケット取付部によって前記手摺ブラケットに取付けられた状態で、前記収容部に前記手摺の端部を収容した際に前記手摺の端部の端面が位置する手摺端面配設位置と対応する位置に、メジャーの端部に設けられた係止片を引っ掛け得る引掛部とを備えていることを特徴とするものである。
【００８９】
これによれば、例えば使用する２つの手摺ブラケット夫々に、予め本発明の手摺取付用施工治具をブラケット取付部によって取り付けておく。その際、引掛部が手摺の端部を収容部に収容した際に手摺の端部の端面が位置する手摺端面配設位置と対応する位置に配設されているため、それらの２つの手摺取付用施工治具の引掛部同士の距離を２つの手摺ブラケットの手摺端面配設位置同士の距離と同じにできる。
【００９０】
従って、２つの手摺ブラケットに取付けた何れか一方の手摺取付用施工治具の引掛部にメジャーの係止片を引っ掛け、他方の手摺取付用施工治具の引掛部までの距離を測定すれば、２つの手摺取付用施工治具の引掛部同士の距離を測定でき、測定作業を容易に行うことができる。
【００９１】
又、メジャーの係止片を引掛部に引っ掛けるようにして測定でき、１人の作業で測定することも可能になる。従って、手摺を壁面に取り付ける作業を１人で行い得るものにできる。
【００９２】
又、施工の際に、ブラケット取付部によって手摺ブラケットに着脱自在に取付けることができるため、手摺ブラケットに引掛部等を設けなくてもよいものにできる。従って、既存の手摺ブラケットに取付けて引掛部を形成でき、手摺を、それらの手摺ブラケットの位置に適合した長さに容易に且つ正確に調整できる。
【００９３】
前記手摺ブラケットは、前記手摺を保持する手摺保持部を備え、前記収容部は、前記手摺保持部の端部に凹設されているとともに、その内部に、前記手摺の端部の端面と当接する端面当接部を備え、前記手摺端面配設位置は、前記端面当接部の位置とされ、前記引掛部は、前記ブラケット取付部によって前記手摺ブラケットに取付けられた状態で、前記端面当接部に対応した位置に配設される構成にできる。
【００９４】
これによれば、ブラケット取付部によって手摺ブラケットに取付ければ、引掛部を端面当接部に対応した位置に配設できる。従って、ブラケット取付部によって手摺ブラケットに取付けるという１つの作業で引掛部を端面当接部に対応した位置に配設でき、取り付け作業を容易なものにできる。
【００９５】
前記手摺ブラケットは、前記手摺ブラケットの外周面から前記収容部に貫通するように開けられ前記収容した手摺の端部を固定的に保持するための固定具が挿入される固定具挿入用孔を備え、前記ブラケット取付部は、前記固定具挿入孔に嵌挿される嵌挿片を備えている構成にできる。
【００９６】
これによれば、嵌挿片を固定具挿入用孔に嵌挿すれば手摺取付用施工治具を手摺ブラケットに取付けることができ、取り付け作業を容易なものにできる。又、手摺ブラケットに設けられた固定具挿入用孔を利用することで、固定具挿入用孔を有する従来の手摺ブラケットにも使用できる。
【００９７】
前記ブラケット取付部によって前記手摺ブラケットに取付けられた状態で、前記手摺ブラケットに対する回動を規制する回動規制部を、さらに備えている構成にできる。
【００９８】
これによれば、メジャーの係止片を引掛部に引っ掛けて手摺端面配設位置同士の距離を測定する際に、回動規制部によって、引掛部が手摺ブラケットに対して回動するのを規制できる。従って、測定を正確に、且つ容易に行うことができる。
【００９９】
又、本発明の手摺取付装置は、上述の何れかの手摺取付用施工治具と、棒状の手摺の端部を覆い隠す形で収容する収容部を有する手摺ブラケットとを備えていることを特徴とするものである。
【０１００】
これによれば、例えば使用する２つの手摺ブラケット夫々に、予め本発明の手摺取付用施工治具をブラケット取付部によって取り付けておく。その際、引掛部が手摺の端部を収容部に収容した際に手摺の端部の端面が位置する手摺端面配設位置と対応する位置に配設されているため、それらの２つの手摺取付用施工治具の引掛部同士の距離を２つの手摺ブラケットの手摺端面配設位置同士の距離と同じにできる。
【０１０１】
従って、２つの手摺ブラケットに取付けた何れか一方の手摺取付用施工治具の引掛部にメジャーの係止片を引っ掛け、他方の手摺取付用施工治具の引掛部までの距離を測定すれば、２つの手摺取付用施工治具の引掛部同士の距離を測定でき、測定作業を容易に行うことができる。
【０１０２】
又、メジャーの係止片を引掛部に引っ掛けるようにして測定でき、１人の作業で測定することも可能になる。従って、手摺を壁面に取り付ける作業を１人で行い得るものにできる。
【０１０３】
又、施工の際に、ブラケット取付部によって手摺ブラケットに着脱自在に取付けることができるため、手摺ブラケットに引掛部等を設けなくてもよいものにできる。従って、既存の手摺ブラケットに取付けて引掛部を形成でき、手摺を、それらの手摺ブラケットの位置に適合した長さに容易に且つ正確に調整できる。
【０１０４】
前記手摺ブラケットは、前記手摺を保持する手摺保持部と、前記手摺保持部の外周面から前記収容部に貫通するように開けられ前記収容した手摺の端部を固定的に保持するための固定具が挿入される固定具挿入用孔とを備え、前記固定具挿入用孔は、前記手摺保持部にその周方向に沿って複数、配設され、前記ブラケット取付部は、前記固定具挿入孔に嵌挿される嵌挿片を備えている構成にできる。
【０１０５】
これによれば、何れかの固定具挿入用孔に嵌挿片を嵌挿すればよく、手摺取付用施工治具を手摺ブラケットに取り付ける作業を容易に行うことができる。
【０１０６】
又、例えば固定具挿入用孔に嵌挿片を嵌挿した場合に嵌挿片の先端が収容部に突出するようにしておく等して、手摺取付用施工治具を取り付けた状態で手摺取付用施工治具が邪魔になって手摺の端部を手摺保持部の収容部に入れることができないようにしておく。これにより、例えば予め手摺ブラケットに手摺取付用施工治具を取り付けたセット状態にして流通するようにしても、手摺の端部を壁面に取り付けた後に、手摺取付用施工治具を手摺ブラケットから取り外すのを忘れるようなことを防止できる。
【符号の説明】
【０１０７】
１、２００、３００    手摺ブラケット
３ａ、２０３ａ    第１手摺保持部（手摺保持部）
３ｂ、２０３ｂ    第２手摺保持部（手摺保持部）
６    手摺取付用施工治具
８    嵌挿片（ブラケット取付部）
３１、２３１、３３１    収容部
３１ａ、２３１ａ、３３１ａ    端面当接部
３２、２３２、３３２    固定具挿入用孔
７２    回動規制部
７３    引掛部
１１０    手摺
１１１    端部
１１１ａ    端面
Ｍ    メジャー
Ｍ１    係止片
【図１】
0005750595.tif 000002
【図２】
0005750595.tif 000003
【図３】
0005750595.tif 000004
【図４】
0005750595.tif 000005
【図５】
0005750595.tif 000006
【図６】
0005750595.tif 000007
【図７】
0005750595.tif 000008
【図８】
0005750595.tif 000009
【図９】
0005750595.tif 000010
【図１０】
0005750595.tif 000011
【図１１】
0005750595.tif 000012
【図１２】
0005750595.tif 000013
【図１３】
0005750595.tif 000014